(57)【要約】      （修正有）【課題】携帯情報端末の通信機能として、検知範囲は異なるものの同一のプロトコルを有する位置検知装置及び廊下灯の通信機能に適用させ、この携帯情報端末との間で通信が行われている位置検知装置又は廊下灯が有するＩＤをもとに医療・看護従事者の位置を検知して当該医療・看護従事者が遂行する業務の管理を行う。【解決手段】携帯情報端末４を携行している医療・看護従事者の位置を検知するために予め定められた第１の検知範囲内で無線通信を行う検知装置無線通信部５２を備える位置検知装置５を有し、廊下灯２は、第１の検知範囲よりも狭範囲な第２の検知範囲内で検知装置無線通信部５２が有する通信プロトコルと同一のプロトコルで無線通信を行う廊下灯無線通信部２６を備え、携帯情報端末４は、検知装置無線通信部５２及び廊下灯無線通信部２６がそれぞれ有する通信プロトコルと同一のプロトコルで無線通信を行う端末無線通信部４４を備えている。【選択図】図２
2014161346.tif 000002
【特許請求の範囲】
【請求項１】
医療・看護施設内の複数の部屋の病床毎に設置され被看護人が医療・看護従事者を呼出して通話を成立させるナースコール子機と、前記部屋の出入り口に設置され前記ナースコール子機を用いた前記被看護人からの呼出しを報知する廊下灯と、前記ナースコール子機を用いた前記被看護人からの呼出しに前記医療・看護従事者が応答して通話を成立させるナースコール親機と、前記医療・看護従事者により携帯され前記ナースコール子機を用いた前記被看護人からの呼出しに応答して通話を成立させる携帯情報端末と、前記廊下灯、前記ナースコール親機及び前記携帯情報端末を制御する制御機とを有するナースコールシステムであって、
前記医療・看護従事者の位置を検知するために設置され予め定められた第１の検知範囲内で無線通信を行う検知装置無線通信部を備える位置検知装置を有し、
前記廊下灯は、前記第１の検知範囲よりも狭範囲な第２の検知範囲内で前記検知装置無線通信部が有する通信プロトコルと同一のプロトコルで無線通信を行う廊下灯無線通信部を備え、
前記携帯情報端末は、前記検知装置無線通信部及び前記廊下灯無線通信部がそれぞれ有する通信プロトコルと同一のプロトコルで無線通信を行う端末無線通信部を備えることを特徴とするナースコールシステム。
【請求項２】
前記位置検知装置は、前記携帯情報端末の前記端末無線通信部及び前記検知装置無線通信部間の無線通信時において自装置が有する検知装置ＩＤが付加された位置情報信号を生成する検知装置ＣＰＵを備え、
前記位置検知装置の前記検知装置ＣＰＵからの前記位置情報信号をもとに前記医療・看護従事者の動線履歴を作成する制御部を備えることを特徴とする請求項１記載のナースコールシステム。
【請求項３】
前記携帯情報端末は、前記被看護人への看護処置情報を入力する端末操作部を備え、
前記位置検知装置の前記検知装置ＣＰＵは、前記携帯情報端末の前記端末無線通信部及び前記検知装置無線通信部間の無線通信時において前記位置情報信号に前記看護処置情報を付加して前記制御部に送出する機能を有することを特徴とする請求項２記載のナースコールシステム。
【請求項４】
前記廊下灯は、前記携帯情報端末の前記端末無線通信部及び前記廊下灯無線通信部間の無線通信時において自廊下灯が有する廊下灯ＩＤが付加された位置情報信号を生成する廊下灯ＣＰＵを備え、
前記廊下灯の前記廊下灯ＣＰＵからの前記位置情報信号をもとに前記医療・看護従事者の動線履歴を作成する制御部を備えることを特徴とする請求項１記載のナースコールシステム。
【請求項５】
前記携帯情報端末は、前記被看護人への看護処置情報を入力するための端末操作部を備え、
前記廊下灯の前記廊下灯ＣＰＵは、前記携帯情報端末の前記端末無線通信部及び前記廊下灯無線通信部間の無線通信時において前記位置情報信号に前記看護処置情報を付加して前記制御部に送出する機能を有することを特徴とする請求項４記載のナースコールシステム。
【請求項６】
前記携帯情報端末は、前記位置検知装置及び前記廊下灯のうち前記端末無線通信部との間で無線通信を行うにあたり受信感度が最も高い当該無線通信部を有する機器を検出する端末ＣＰＵを備え、
前記端末ＣＰＵは、前記受信感度が最も高い当該無線通信部を有する機器が変更されたときに変更通知制御を行うことを特徴とする請求項１乃至請求項５のうち何れか１項記載のナースコールシステム。
【請求項７】
前記無線通信部に代えて超音波で通信を行う超音波通信部を備えることを特徴とする請求項１乃至請求項６のうち何れか１項記載のナースコールシステム。
【請求項８】
前記携帯情報端末の前記超音波通信部は、マイク及びスピーカであることを特徴とする請求項７記載のナースコールシステム。
【発明の詳細な説明】
【技術分野】
【０００１】
本発明は、病院等の医療・看護施設内に設置されるナースコールシステムに係り、特に、医師や看護師又は看護助手等の医療・看護従事者が遂行する業務の管理が可能なナースコールシステムに関する。
【背景技術】
【０００２】
従来から、病院や福祉介護施設で使用されるナースコールシステムとして、特に、手が放せない看護業務に従事中の看護師に対しては、携帯端末の呼び出しを一時中止または呼び出しの優先順位を下げて従事中の看護業務を継続可能とし、看護業務の集中処理による効率化と看護師の負担の均一化を達成することのできるナースコールシステムが開示されている（例えば、特許文献１を参照）。
【０００３】
このナースコールシステムによれば、病室の出入り口近傍に設置される無線ＩＣタグ読み取り装置は、無線ＩＣタグを身につけた看護師が病室を入退室する時に当該無線ＩＣタグに記録されている看護師識別番号を読み取ることができる。この無線ＩＣタグは、無線ＩＣタグ読み取り装置の電波で起動して情報を送る方式であって、必ずしも看護師が無線ＩＣタグ読み取り装置に無線ＩＣタグを近づけなくても読める方式が望ましいが、近づけるカード式でも構わないものである。
【先行技術文献】
【特許文献】
【０００４】
【特許文献１】特開２００７−２６８０２０号公報
【発明の概要】
【発明が解決しようとする課題】
【０００５】
しかしながら、背景技術に記載した特許文献１のナースコールシステムにおいて、無線ＩＣタグ読み取り装置に無線ＩＣタグを近づけなくても読める方式を適用するにあたっては、病室の出入り口近傍として廊下に居る看護師や隣室の看護師を誤認してしまうおそれがあった。一方、無線ＩＣタグ読み取り装置に無線ＩＣタグを近づけるカード式を適用するにあたっては、廊下等の施設内共用部や中庭等の屋外にいる看護師の位置情報を認識することができなかった。そのため、カード式及び非カード式のような２種の異なる読取り方式に携帯端末を対応させる必要があった。
【０００６】
本発明は、この難点を解消するためになされたもので、施設内を移動中の医療・看護従事者により携行される携帯情報端末の通信機能として、検知範囲は異なるものの同一のプロトコルを有する位置検知装置及び廊下灯の通信機能に適用させ、この携帯情報端末との間で通信が行われている位置検知装置又は廊下灯が有するＩＤをもとに医療・看護従事者の位置を検知して当該医療・看護従事者が遂行する業務の管理を行うことが可能なナースコールシステムを提供することを目的としている。
【課題を解決するための手段】
【０００７】
前述の目的を達成するため、本発明の第１の態様であるナースコールシステムは、医療・看護施設内の複数の部屋の病床毎に設置され被看護人が医療・看護従事者を呼出して通話を成立させるナースコール子機と、部屋の出入り口に設置されナースコール子機を用いた被看護人からの呼出しを報知する廊下灯と、ナースコール子機を用いた被看護人からの呼出しに医療・看護従事者が応答して通話を成立させるナースコール親機と、医療・看護従事者により携行されナースコール子機を用いた被看護人からの呼出しに応答して通話を成立させる携帯情報端末と、廊下灯、ナースコール親機及び携帯情報端末を制御する制御機とを有しており、このシステムは、医療・看護従事者の位置を検知するために設置され予め定められた第１の検知範囲内で無線通信を行う検知装置無線通信部を備える位置検知装置を有している。廊下灯は、第１の検知範囲よりも狭範囲な第２の検知範囲内で検知装置無線通信部が有する通信プロトコルと同一のプロトコルで無線通信を行う廊下灯無線通信部を備えている。携帯情報端末は、検知装置無線通信部及び廊下灯無線通信部がそれぞれ有する通信プロトコルと同一のプロトコルで無線通信を行う端末無線通信部を備えている。
【０００８】
この態様のナースコールシステムによれば、施設内を移動中の医療・看護従事者により携行される携帯情報端末の無線通信機能として、検知範囲は異なるものの同一の通信プロトコルを有する位置検知装置及び廊下灯の無線通信機能を適用させることにより、この携帯情報端末の無線通信機能と位置検知装置又は廊下灯の無線通信機能との間で無線通信を行うことができる。したがって、背景技術のカード式及び非カード式のような２種の異なる読取り方式に携帯端末（携帯情報端末）を対応させる必要がなく、単一の通信プロトコルを用いて位置検知装置又は廊下灯との間で無線通信を行うことができる。
【０００９】
また、本発明の第２の態様であるナースコールシステムは、本発明の第１の態様において、位置検知装置は、携帯情報端末の端末無線通信部及び検知装置無線通信部間の無線通信時において自検知装置が有する検知装置ＩＤが付加された位置情報信号を生成する検知装置ＣＰＵを備えている。位置検知装置の検知装置ＣＰＵからの位置情報信号をもとに医療・看護従事者の動線履歴を作成する制御部を備えている。
【００１０】
この態様のナースコールシステムによれば、携帯情報端末を携行して施設内を移動中の医療・看護従事者の位置を、この携帯情報端末との間で無線通信が行われている位置検知装置が有するＩＤをもとに検知し、その動線履歴を作成することができる。
【００１１】
また、本発明の第３の態様であるナースコールシステムは、本発明の第２の態様において、携帯情報端末は、被看護人への看護処置情報を入力する端末操作部を備えている。位置検知装置の検知装置ＣＰＵは、携帯情報端末の端末無線通信部及び検知装置無線通信部間の無線通信時において位置情報信号に看護処置情報を付加して制御部に送出する機能を有している。
【００１２】
この態様のナースコールシステムによれば、位置検知装置との間で無線通信が行われている携帯情報端末を携行して施設内を移動中の医療・看護従事者は、その携帯情報端末を用いて被看護人への看護処置情報を入力することができる。この看護処置情報は、位置検知装置が有するＩＤをもとに作成される動線履歴に付加させて管理される。
【００１３】
また、本発明の第４の態様であるナースコールシステムは、本発明の第１の態様において、廊下灯は、携帯情報端末の端末無線通信部及び廊下灯無線通信部間の無線通信時において自廊下灯が有する廊下灯ＩＤが付加された位置情報信号を生成する廊下灯ＣＰＵを備えている。廊下灯の廊下灯ＣＰＵからの位置情報信号をもとに医療・看護従事者の動線履歴を作成する制御部を備えている。
【００１４】
この態様のナースコールシステムによれば、携帯情報端末を携行して施設内を移動中の医療・看護従事者の位置を、この携帯情報端末との間で無線通信が行われている廊下灯が有するＩＤをもとに検知し、その動線履歴を作成することができる。
【００１５】
また、本発明の第５の態様であるナースコールシステムは、本発明の第４の態様において、携帯情報端末は、被看護人への看護処置情報を入力するための端末操作部を備えている。廊下灯の廊下灯ＣＰＵは、携帯情報端末の端末無線通信部及び廊下灯無線通信部間の無線通信時において位置情報信号に看護処置情報を付加して制御部に送出する機能を有している。
【００１６】
この態様のナースコールシステムによれば、廊下灯との間で無線通信が行われている携帯情報端末を携行して施設内を移動中の医療・看護従事者は、その携帯情報端末を用いて被看護人への看護処置情報を入力することができる。この看護処置情報は、廊下灯が有するＩＤをもとに作成される動線履歴に付加させて管理される。
【００１７】
また、本発明の第６の態様であるナースコールシステムは、本発明の第１の態様乃至第５の態様のうち何れか１の態様において、携帯情報端末は、位置検知装置及び廊下灯のうち端末無線通信部との間で無線通信を行うにあたり受信感度が最も高い当該無線通信部を有する機器を検出する端末ＣＰＵを備えている。端末ＣＰＵは、受信感度が最も高い当該無線通信部を有する機器が変更されたときに変更通知制御を行うものである。
【００１８】
この態様のナースコールシステムによれば、携帯情報端末を携行して施設内を移動中の医療・看護従事者が（時系列で）移動するにあたって、位置検知装置又は廊下灯との間で無線通信を行う携帯情報端末の端末ＣＰＵで検出される受信感度のレベル変化をもとに、その動線を検知して通知することができる。
【００１９】
また、本発明の第７の態様であるナースコールシステムは、本発明の第１の態様乃至第６の態様のうち何れか１の態様において、無線通信部に代えて超音波で通信を行う超音波通信部を備えている。
【００２０】
この態様のナースコールシステムによれば、施設内を移動中の医療・看護従事者により携行される携帯情報端末の通信機能と、この携帯情報端末との間で同一のプロトコルで通信を行う位置検知装置及び廊下灯の通信機能とを、無線通信に代えて指向性の高い超音波通信を適用することができる。この超音波通信を適用することにより、無線通信と比較して位置検知の精度が高められる。
【００２１】
また、本発明の第８の態様であるナースコールシステムは、本発明の第７の態様において、携帯情報端末の超音波通信部は、マイク及びスピーカである。
【００２２】
この態様のナースコールシステムによれば、施設内を移動中の医療・看護従事者により携行される携帯情報端末の超音波通信機能として、この携帯情報端末の通話機能であるマイク及びスピーカを適用することができる。
【発明の効果】
【００２３】
本発明のナースコールシステムによれば、施設内を移動中の医療・看護従事者により携行される携帯情報端末の通信機能として、検知範囲は異なるものの同一の通信プロトコルを有する位置検知装置及び廊下灯の無線通信機能を適用させることにより、この携帯情報端末の無線通信機能と位置検知装置又は廊下灯の無線通信機能との間で無線通信を行うことができる。したがって、背景技術のカード式及び非カード式のような２種の異なる読取り方式に携帯端末（携帯情報端末）を対応させる必要がなく、単一の通信プロトコルを用いて位置検知装置又は廊下灯との間で無線通信を行うことができる。
【００２４】
また、携帯情報端末を携行して施設内を移動中の医療・看護従事者の位置を、この携帯情報端末との間で無線通信が行われている位置検知装置又は廊下灯が有するＩＤをもとに検知し、その動線履歴を作成することができるばかりでなく、この携帯情報端末で入力される被看護人への看護処置情報を動作履歴とともに管理することができる。したがって、医療・看護従事者が遂行する業務の管理を行うことが可能となる。
【図面の簡単な説明】
【００２５】
【図１】図１は、本発明の実施例によるナースコールシステムの全体構成を示すシステム説明図である。
【図２】図２（Ａ）は、本発明の実施例によるナースコールシステムにおいて廊下灯の具体的な構成を示すブロック図である。また、図２（Ｂ）は、同システムにおいてナースコール親機の具体的な構成を示すブロック図である。また、図２（Ｃ）は、同システムにおいて携帯情報端末の具体的な構成を示すブロック図である。また、図２（Ｄ）は、同システムにおいて位置検知装置の具体的な構成を示すブロック図である。また、図２（Ｅ）は、同システムにおいて制御機の具体的な構成を示すブロック図である。
【図３】図３は、本発明の実施例によるナースコールシステムにおいて適用される（Ａ）被看護人情報テーブルの一例、（Ｂ）医療・看護従事者情報テーブルの一例を示す説明図である。
【図４】図４は、本発明の実施例によるナースコールシステムにおいてナースコール親機の親機表示部に表示される動線履歴のフロア病床レイアウト（遷移）例を示す画面構成図である。
【図５】図５は、本発明の実施例によるナースコールシステムにおいてナースコール親機の親機表示部に表示される看護処置情報の（Ａ）リスト例、（Ｂ）フロア病床レイアウト例を示す画面構成図である。
【発明を実施するための形態】
【００２６】
以下、本発明のナースコールシステムを適用した実施の形態例について、図面を参照して説明する。
【００２７】
図１は、本発明の実施例によるナースコールシステムの全体構成を示すシステム説明図である。このナースコールシステムは、病院等の医療・看護施設内（以下、施設内という）に設置されるものであり、ナースコール子機１、廊下灯２、ナースコール親機３、携帯情報端末４、位置検知装置５、基地局６、交換機７、サーバ８及び制御機９を有している。
【００２８】
ここで、ナースコール子機１には、子機ラインＬ1を経由して廊下灯２が接続、例えば、個別配線で接続されている。また、交換機７には、基地局ラインＬ5を経由して基地局６が接続されている。さらに、制御機９には、廊下灯ラインＬ2を経由して廊下灯２が接続、例えば、渡り配線で接続されているとともに、親機ラインＬ3を経由してナースコール親機３が、検知装置ラインＬ4を経由して位置検知装置５が、交換機ラインＬ6を経由して交換機７が、サーバラインＬ7を経由してサーバ８が、それぞれ接続されている。
【００２９】
なお、ナースコール子機１及び廊下灯２間の接続は、図示のような個別配線の接続に限定されるものではなく、例えば、廊下灯２に対してナースコール子機１を順次接続する渡り配線の態様（不図示）も好適とされる。また、制御機９及び廊下灯２間の接続についても、図示のような渡り配線の接続に限定されるものではなく、例えば、バス接続の態様（不図示）も好適とされる。さらに、制御機９及び位置検知装置５間の接続についても、図示のような渡り配線の接続に限定されるものではなく、例えば、バス接続の態様（不図示）も好適とされる。
【００３０】
ナースコール子機１は、予め定められた個別の子機ＩＤを有しており、施設内における例えば、２０１号室、２０２号室、・・・・のような複数の部屋（病室と同意）内の各病床の被看護人（患者と同意）が、例えば、ナースコール親機３が設置されるスタッフステーション等の施設内共用部に在室中である、医師や看護師又は看護助手等の医療・看護従事者や携帯情報端末４を携行して施設内を移動中の医療・看護従事者（のうち例えば、担当／受持ちの医療・看護従事者）に対し、通常呼出し、トイレ・風呂介助等の介助呼出し、点滴の終了を知らせる確認呼出し等、ナースコール呼出しに係る呼出種別毎で異なる呼出操作を行うとともに、この被看護人が医療・看護従事者との間で音声（音声データ）を送受信して通話を成立させるものである。また、ナースコール子機１によれば、前述のような被看護人によるナースコール呼出しのみならず、被看護人の周囲近傍に居る医療・看護従事者が他の医療・看護従事者として、例えば、スタッフステーション等の施設内共用部に在室中である他の医療・看護従事者や携帯情報端末４を携行して施設内を移動中である他の医療・看護従事者を呼出す、すなわち、スタッフ緊急呼出しのための呼出操作を行い、通話を成立させることもできる。
【００３１】
ここで、ナースコール子機１は、部屋内の病床数に対応させて任意の台数を設けることができ、このナースコール子機１としては、前述のような呼出操作が行われる呼出操作機能を有する呼出握りボタン等のハンド子機１ａと、ハンド子機１ａが接続され前述のような通話を成立させる通話機能を有するプレート子機１ｂとで構成されるものである。なお、ハンド子機１ａには、呼出操作機能のみならず前述のような通話機能を備えることもできる。また、プレート子機１ｂには、通話機能のみならず前述のような呼出操作機能や、ナースコール呼出し又はスタッフ緊急呼出しを待受状態に復旧させる呼出復旧操作機能等を備えることもできる。
【００３２】
廊下灯２は、予め定められた個別の廊下灯ＩＤを有しており、前述のような各部屋の出入り口（出入り口近傍）に設置され、ナースコール子機１を用いた被看護人からのナースコール呼出し又は医療・看護従事者からのスタッフ緊急呼出しを、呼出種別毎に異なるパターンで報知（呼出表示、呼出発報）するとともに、施設内を移動中の医療・看護従事者により携行されている携帯情報端末４との間で、予め定められた通信プロトコル、例えば、Ｗｉ−Ｆｉ（登録商標）のプロトコルを用いて無線通信を行うものである。
【００３３】
ナースコール親機３は、スタッフステーション等の施設内共用部に設置されており、ナースコール子機１を用いた被看護人からのナースコール呼出し又は医療・看護従事者からのスタッフ緊急呼び出しを、呼出種別毎に異なるパターンで報知（呼出表示、呼出発報）するとともに、これを確認した医療・看護従事者が被看護人又は他の医療・看護従事者との間で音声（音声データ）を送受信して通話を成立させるものである。また、ナースコール親機３は、施設内における医療・看護従事者の動線履歴を、後述する例えば、フロア病床レイアウトで表示することができるばかりでなく、医療・看護従事者による被看護人への看護処置情報についても、後述する例えば、リスト又はフロア病床レイアウトで表示することができる。
【００３４】
なお、ナースコール親機３の構成態様としては、図示のような電子情報出力型の当該親機に限定されず、例えば、ＰＣ（パーソナル・コンピュータ）型やボード型の当該親機（不図示）も好適とされる。また、ナースコール親機３には、通常、ナースコール子機１を個別呼出し又は一斉呼出しする機能等も備えられている。
【００３５】
携帯情報端末４は、予め定められた個別の端末ＩＤを有しており、施設内を移動中の医療・看護従事者により携行され、ナースコール子機１を用いた被看護人からのナースコール呼出し又は医療・看護従事者からのスタッフ緊急呼び出しを、呼出種別毎に異なるパターンで報知（呼出表示、呼出発報）するとともに、これを確認した医療・看護従事者が被看護人又は他の医療・看護従事者との間で音声（音声データ）を送受信して通話を成立させるものである。この携帯情報端末４としては例えば、スマートフォン等の高機能通信端末やＰＨＳ端末等が好適とされる。また、携帯情報端末４は、通常、ナースコール親機３が設置されるスタッフステーション内に在室中の他の医療・看護従者、又は自端末以外を携行している他の医療・看護従事者との間で、呼出し・通話を成立させることもできる。
【００３６】
位置検知装置５は、予め定められた個別の検知装置ＩＤを有しており、施設内を移動中である医療・看護従事者の位置を検知するために当該施設内で任意のエリア毎、例えば、各フロアで予め定められた距離毎に廊下先や天井等に設置され、この医療・看護従事者により携行される携帯情報端末４との間で、前述の廊下灯２と同様に予め定められた通信プロトコル、例えば、Ｗｉ−Ｆｉ（登録商標）のプロトコルを用いて無線通信を行うものである。
【００３７】
基地局６は、携帯情報端末４との間で無線通信を行うものである。なお、基地局６は、図示のような１台に限定されるものではなく、施設の規模（大きさ）等に起因する携帯情報端末４の台数に対応させて複数台の当該基地局を設置することもできる。
【００３８】
交換機７は、基地局ラインＬ5を経由して接続される基地局５を回線制御するものである。なお、交換機７が有する回線制御機能は、制御機９に備えることもでき、この態様によれば交換機７は不要とされ、制御機９及び基地局６間を直列接続できるために配線の省線化が可能となる。
【００３９】
サーバ８は、前述のような、施設内における医療・看護従事者の動線履歴や、医療・看護従事者による被看護人への看護処置情報等を記憶・管理するものであって、例えば、オーダリングサーバで構成されている。なお、サーバ８が有する情報記憶・管理機能は、制御機９に備えることもでき、この態様によれば、サーバ８は不要とされ施工コストの低減が可能となる。
【００４０】
制御機９は、廊下灯ラインＬ2を経由して廊下灯２、親機ラインＬ3を経由してナースコール親機３、検知装置ラインＬ4を経由して位置検知装置５、交換機ラインＬ6を経由して交換機７、サーバラインＬ7を経由してサーバ８をそれぞれ接続する中継器として、例えば、前述のような施設内共用部に設置されており、これら接続された機器を制御するものである。
【００４１】
次に、廊下灯２の具体的な構成について図２（Ａ）のブロック図を参照して説明する。同図に示す廊下灯２には、廊下灯表示部２０、廊下灯通話部２１、廊下灯操作部２２、廊下灯ＣＰＵ２３、子機側廊下灯Ｉ／Ｆ２４、制御機側廊下灯Ｉ／Ｆ２５及び廊下灯無線通信部２６が備えられている。
【００４２】
この廊下灯２において、廊下灯表示部２０は、ナースコール子機１を用いた被看護人からのナースコール呼出し又は医療・看護従事者からのスタッフ緊急呼出しがあることを表示（呼出表示）するものであって、例えば、ＬＥＤ、ＬＣＤ、有機ＥＬディスプレイ等の各種の表示媒体で構成されている。なお、廊下灯表示部２０として例えば、ＬＥＤを適用するにあたっては、そのＬＥＤを、自廊下灯に接続されるナースコール子機１毎に対応、具体的には、予め定められた個別の子機ＩＤに対応させて設けることができる。
【００４３】
廊下灯通話部２１は、廊下灯２の周囲近傍に居る医療・看護従事者として、携帯情報端末４を携行して施設内を移動中の医療・看護従事者が、例えば、スタッフステーション内に在室中である他の医療・看護従事者との間で通話を成立させるための音声（音声データ）を送受信するものであり、廊下灯マイク２１ａ及び廊下灯スピーカ２１ｂを有している。また、廊下灯スピーカ２１ｂは、前述のような、ナースコール子機１を用いた被看護人からのナースコール呼出し又は医療・看護従事者からのスタッフ緊急呼出しがあることを報知（呼出発報）するための呼出音や音声メッセージ等を出力することもできる。
【００４４】
廊下灯操作部２２は、前述のように廊下灯２の周囲近傍に居る医療・看護従事者が、スタッフステーション内に在室中である他の医療・看護従事者を呼出すための機能や、前述のような、ナースコール子機１を用いた被看護人からのナースコール呼出し又は医療・看護従事者からのスタッフ緊急呼出しを待受状態に復旧させる機能が備えられている。
【００４５】
廊下灯ＣＰＵ２３は、当該廊下灯の構成各部を制御するものである。また、子機側廊下灯Ｉ／Ｆ２４は、廊下灯ＣＰＵ２３及び子機ラインＬ1間の信号伝送路を形成するものである。さらに、制御機側廊下灯Ｉ／Ｆ２５は、廊下灯ＣＰＵ２３及び廊下灯ラインＬ2間の信号伝送路を形成するものである。
【００４６】
廊下灯無線通信部２６は、前述のように予め定められた通信プロトコル及び検知エリア（以下、第２の検知範囲という）内、例えば、Ｗｉ−Ｆｉ（登録商標）のプロトコルを用いた半径３０ｃｍ以下の狭範囲で携帯情報端末４の後述する端末無線通信部４４との間で無線通信を行うとともに、この無線通信路及び廊下灯ＣＰＵ２３間の信号伝送路を形成するものである。また、廊下灯無線通信部２６は、位置検知装置５の後述する検知装置無線通信部５２と比較して、通信プロトコルは例えば、Ｗｉ−Ｆｉ（登録商標）で同一であるものの、送信出力及び受信感度がそれぞれ低下され、その送信出力は例えば、「１０ｍＷ」、その受信感度は例えば、「−３０ｄＢ・ｍ」に設定されているものとする。なお、廊下灯無線通信部２６が有する送信出力及び受信感度は、前述のような固定値に限定されるものではなく、その設置態様や規格に対応させて変更することもできる。
【００４７】
次に、ナースコール親機３の具体的な構成について図２（Ｂ）のブロック図を参照して説明する。同図に示すナースコール親機３には、親機表示部３０、親機通話部３１、親機操作部３２、親機ＣＰＵ３３及び親機Ｉ／Ｆ３４が備えられている。
【００４８】
このナースコール親機３において、親機表示部３０は、ナースコール子機１を用いた被看護人からのナースコール呼出し又は医療・看護従事者からのスタッフ緊急呼出しがあることを表示（呼出表示）するとともに、施設内における医療・看護従事者の動線履歴を例えば、フロア病床レイアウトで表示するものであって、例えば、ＬＥＤ、ＬＣＤ、有機ＥＬディスプレイ等の各種の表示媒体で構成されている。また、親機表示部３０は、前述の情報のみならず、携帯情報端末４を携行して施設内を移動中の医療・看護従事者により後述する端末操作部４２を用いて入力される被看護人への看護処置情報を例えば、当該被看護人のリスト又はフロア病床レイアウトで表示することもできる。なお、親機表示部３０として例えば、ＬＥＤを適用するにあたっては、そのＬＥＤを、ナースコール子機１毎に対応、具体的には、予め定められた個別の子機ＩＤに対応させて設けることができる。
【００４９】
親機通話部３１は、スタッフステーション内に在室中の医療・看護従事者が被看護人又は他の医療・看護従事者との間で通話を成立させるための音声（音声データ）を送受信するものであり、例えば、親機マイク３１ａ及び親機スピーカ３１ｂを有している。また、親機スピーカ３１ｂは、前述のような、ナースコール子機１を用いた被看護人からのナースコール呼出し又は医療・看護従事者からのスタッフ緊急呼出しがあることを報知（呼出発報）するための呼出音や音声メッセージ等を出力することもできる。なお、親機通話部３１としては、例えば、図１に示すようなハンドセットを適用することもできる。
【００５０】
親機操作部３２は、ナースコール子機１を用いた被看護人からのナースコール呼出し又は医療・看護従事者からのスタッフ緊急呼出しに、スタッフステーション内に在室中の医療・看護従事者が応答する操作（応答操作）機能等を備えており、例えば、親機表示部３０の前面に配置されたタッチパネルや所定の操作ボタン（不図示）で構成されている。
【００５１】
親機ＣＰＵ３３は、当該ナースコール親機の構成各部を制御するものである。また、親機Ｉ／Ｆ３４は、親機ＣＰＵ３３及び親機ラインＬ3間の信号伝送路を形成するものである。
【００５２】
次に、携帯情報端末４の具体的な構成について図２（Ｃ）のブロック図を参照して説明する。同図に示す携帯情報端末４には、端末表示部４０、端末通話部４１、端末操作部４２、端末ＣＰＵ４３及び端末無線通信部４４が備えられている。
【００５３】
この携帯情報端末４において、端末表示部４０は、ナースコール子機１を用いた被看護人からのナースコール呼出し又は医療・看護従事者からのスタッフ緊急呼出しがあることを表示（呼出表示）するものであって、例えば、ＬＥＤ、ＬＣＤ、有機ＥＬディスプレイ等の各種の表示媒体で構成されている。
【００５４】
端末通話部４１は、当該携帯情報端末を携行して施設内を移動中の医療・看護従事者が、被看護人又は他の医療・看護従事者との間で通話を成立させるための音声（音声データ）を送受信するものであり、例えば、端末マイク４１ａ及び端末スピーカ４１ｂを有している。また、端末スピーカ４１ｂは、前述のような、ナースコール子機１を用いた被看護人からのナースコール呼出し又は医療・看護従事者からのスタッフ緊急呼出しがあることを報知（呼出発報）するための呼出音や音声メッセージ等を出力することもできる。
【００５５】
端末操作部４２は、前述のようなナースコール子機１を用いた被看護人からのナースコール呼出し又は他の医療・看護従事者からの呼出しに医療・看護従事者が応答するための操作機能、この医療・看護従事者が他の医療・看護従事者を呼出すための操作機能等が備えられている。また、端末操作部４２は、前述の操作機能のみならず、被看護人への看護処置情報を入力するための操作機能も備えられている。
【００５６】
端末ＣＰＵ４３は、当該携帯情報端末の構成各部を制御するものである。また、端末無線通信部４４は、廊下灯２の廊下灯無線送受信部２６及び位置検知装置５の後述する検知装置無線通信部５２がそれぞれ有する予め定められた通信プロトコル、例えば、Ｗｉ−Ｆｉ（登録商標）と同一のプロトコルを用いて無線通信を行い、例えば、呼出し及び通話成立のための信号を送受信するものである。
【００５７】
次に、位置検知装置５の具体的な構成について図２（Ｄ）のブロック図を参照して説明する。この位置検知装置５には、検知装置ＣＰＵ５０、検知装置Ｉ／Ｆ５１及び検知装置無線通信部５２が備えられている。
【００５８】
この位置検知装置５において、検知装置ＣＰＵ５０は、当該位置検知装置の構成各部を制御するものである。また、検知装置Ｉ／Ｆ５１は、検知装置ＣＰＵ５０及び検知装置ラインＬ4間の信号伝送路を形成するものである。
【００５９】
検知装置無線通信部５２は、前述のように予め定められた通信プロトコルと同一であるものの、前述の廊下灯２が有する第２の検知範囲とは異なる検知エリア（以下、第１の検知範囲という）内、例えば、Ｗｉ−Ｆｉ（登録商標）のプロトコルを用いた半径３ｍ以上の広範囲で携帯情報端末４の端末無線通信部４４との間で無線通信を行い、この無線通信路及び検知装置ＣＰＵ５０間の信号伝送路を形成するものである。また、検知装置無線通信部５２は、廊下灯２の廊下灯無線通信部２６と比較して、通信プロトコルは例えば、Ｗｉ−Ｆｉ（登録商標）で同一であるものの、送信出力及び受信感度がそれぞれ高く、その送信出力は例えば、「７０ｍＷ」、その受信感度は例えば、「−７０ｄＢ・ｍ」に設定されているものとする。なお、検知装置無線通信部５２が有する送信出力及び受信感度は、前述のような固定値に限定されるものではなく、その設置態様や規格に対応させて変更することもできる。
【００６０】
次に、制御機９の具体的な構成について図２（Ｅ）のブロック図を参照して説明する。同図に示す制御機９には、制御機記憶部９０、制御機ＣＰＵ９１、廊下灯側制御機Ｉ／Ｆ９２、親機側制御機Ｉ／Ｆ９３、検知装置側制御機Ｉ／Ｆ９４、交換機側制御機Ｉ／Ｆ９５及びサーバ側制御機Ｉ／Ｆ９６が備えられている。
【００６１】
この制御機９において、制御機記憶部９０は、図３（Ａ）の説明図に示すような被看護人情報テーブルとして、ナースコール親機３及び携帯情報端末４のうち例えば、ナースコール子機１を用いた被看護人からの呼出しを報知（呼出発報、呼出表示）する機器の設定情報である、前述の子機ＩＤ及び廊下灯ＩＤや被看護人が有する氏名データ及びＩＤ（被看護人識別ＩＤ）に対応させた端末ＩＤの割当て情報や、図３（Ｂ）の説明図に示すような医療・看護従事者情報テーブルとして、携帯情報端末４を携行して施設内を移動中の医療・看護従事者が有する氏名データ及びＩＤ（医療・看護従事者識別ＩＤ）や端末ＩＤの割当て情報等が記憶さており、例えば、ＲＡＭ、ＥＥＰＲＯＭ等の各種の記憶媒体で構成されている。なお、制御機記憶部９０の記憶内容は、例えば、ナースコール親機３や別途のＰＣ（パーソナル・コンピュータ）を用いた操作、又はサーバ８の制御により、書換えることができる。
【００６２】
制御機ＣＰＵ９１は、当該制御機の構成各部を制御するばかりなく、当該システム全体を制御するものである。また、廊下灯側制御機Ｉ／Ｆ９２は、制御機ＣＰＵ９１及び廊下灯ラインＬ2間の信号伝送路を形成するものである。また、親機側制御機Ｉ／Ｆ９３は、制御機ＣＰＵ９１及び親機ラインＬ3間の信号伝送路を形成するものである。また、検知装置側制御機Ｉ／Ｆ９４は、制御機ＣＰＵ９１及び検知装置ラインＬ4間の信号伝送路を形成するものである。また、交換機側制御機Ｉ／Ｆ９５は、制御機ＣＰＵ９１及び交換機ラインＬ6間の信号伝送路を形成するものである。さらに、サーバ側制御機Ｉ／Ｆ９６は、制御機ＣＰＵ９１及びサーバラインＬ7間の信号伝送路を形成するものである。
【００６３】
このように構成された本発明の実施例によるナースコールシステムにおいて、以下、具体的な動作について説明する。なお、本実施例において、病床の被看護人が図１に示すナースコール子機１のハンド子機１ａを用いて呼出操作を行い、ナースコール親機３が設置されたスタッフステーション内に在室中の医療・看護従事者、及び携帯情報端末４を用いて施設内を移動中の医療・看護従事者のうち制御機９の制御機記憶部９０から読出される図３（Ａ）、（Ｂ）に示す医療・看護従事者識別ＩＤ及び端末ＩＤにそれぞれ該当する担当／受持ちの医療・看護従事者を呼出して通話を成立させる動作は、背景技術に記載した特許文献１のナースコールシステムをはじめとした各種のナースコールシステム／ナースコール装置等の該当動作と同様であるため、その説明は省略する。
【００６４】
最初に、図２（Ａ）に示す廊下灯２の廊下灯無線通信部２６及び図２（Ｄ）に示す位置検知装置５の検知装置無線通信部５２はそれぞれ、常時、自無線通信部２６、５２が有する第１、第２の検知エリア内にある、図２（Ｃ）に示す携帯情報端末４の端末無線通信部４４との間で、予め定められた例えば、Ｗｉ−Ｆｉ（登録商標）の通信プロトコルによる無線通信を行うことが可能な動作状態に保持されている。
【００６５】
ここで、図１に示す当該システムが適用される施設内を移動中の医療・看護従事者として、例えば、図２（Ｅ）に示す制御機９の制御機記憶部９０に医療・看護従事者情報テーブル（図３（Ｂ））として記憶されている、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、廊下灯ＩＤが「２０１」である２０１号室内の例えば、その氏名データが「鈴木太郎」、その被看護人識別ＩＤが「０００１」であって、子機ＩＤ「０００１」に割当てられた病床の被看護人に対する看護処置を行うにあたり、２０１号室の出入り口近傍まで辿り着くと、この医療・看護従事者が携行している携帯情報端末４の端末無線通信部４４は、例えば、Ｗｉ−Ｆｉ（登録商標）の通信プロトコルを用いて無線通信を行うことが可能な通信機器として、例えば、２０１号室の周囲近傍の廊下先や天井等に設置された、第１の検知範囲を有する図２（Ｄ）に示す位置検知装置５の検知装置無線通信部５２、及び２０１号室の出入り口に設置された、第２の検知範囲を有する図２（Ａ）に示す廊下灯２の廊下灯無線通信部２６のうち、その検知範囲の相違や前述の送信出力及び受信感度の相違に伴い、受信感度が最も高い当該無線通信部を有する機器の間で無線通信を行うことができる。
【００６６】
具体的に、端末無線通信部４４を有する携帯情報端末４と検知装置無線通信部５２を有する位置検知装置５においては、互いの通信機器が例えば、２〜３ｍのような距離となったときに無線通信が行われる。一方、端末無線通信部４４を有する携帯情報端末４と廊下灯無線通信部２６を有する廊下灯２においては、互いの通信機器が例えば、１５ｃｍのような近接した距離となったときに無線通信が行われる。
【００６７】
ここで、前述の医療・看護従事者が、位置検知装置５の検知装置無線通信部５２が有する例えば、２０１号室の周囲近傍の廊下先等で当該検知装置の設置場所から半径３ｍ以上の第１の検知範囲内に居る一方、２０１号室の出入り口に設置された廊下灯２の廊下灯無線通信部２６が有する例えば、当該廊下灯の設置場所から半径３０ｃｍ以下の第２の検知範囲内に居ない場合、この医療・看護従事者が携行している携帯情報端末４の端末無線通信部４４は、受信感度が最も高いとされる位置検知装置５の検知装置無線通信部５２との間でのみ無線通信が可能となる。
【００６８】
このような無線通信が行われている位置検知装置５の検知装置ＣＰＵ５０は、自検知装置が有する検知装置ＩＤ「Ｄ０１」及び無線通信の対象である携帯情報端末４が有する端末ＩＤ「ＨＰ０１」を付加した位置情報信号（以下、第１の位置情報信号という）を生成する。この第１の位置情報信号は、検知装置ＣＰＵ５０から検知装置Ｉ／Ｆ５１、検知装置ラインＬ4、図２（Ｅ）に示す制御機９の検知装置側制御機Ｉ／Ｆ９４を経由して制御機ＣＰＵ９１に伝送される。
【００６９】
制御機９の制御機ＣＰＵ９１は、受信した第１の位置情報信号に付加されている検知装置ＩＤ「Ｄ０１」及び端末ＩＤ「ＨＰ０１」のうち、端末ＩＤ「ＨＰ０１」に割当てられて制御機記憶部９０に医療・看護従事者情報テーブル（図３（Ｂ））として記憶されている、氏名データ「山田花子」及び医療・看護従事者識別ＩＤ「ＮＳ０１」に検知装置ＩＤ「Ｄ０１」を関連付け、当該信号の受信日時とともに管理することにより、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、検知装置ＩＤ「Ｄ０１」を有する位置検知装置５の設置場所である、２０１号室の周囲近傍の廊下先等に居ることを示す動線履歴（以下、第１の動線履歴という）を、例えば、フロア病床レイアウトに対応させて作成することができる。なお、制御機ＣＰＵ９１で生成された第１の動線履歴は、制御機記憶部９０に記憶させることができるばかりでなく、サーバ側制御機Ｉ／Ｆ９６、サーバラインＬ7を経由してサーバ８に送出し、このサーバ８に記憶させることもできる。
【００７０】
一方、前述の医療・看護従事者が、２０１号室の出入り口に設置された廊下灯２の廊下灯無線通信部２６が有する例えば、当該廊下灯の設置場所から半径３０ｃｍ以下の第２の検知範囲内に居る一方、位置検知装置５の検知装置無線通信部５２が有する例えば、２０１号室の周囲近傍の廊下先等で当該検知装置の設置場所から半径３ｍ以上の第１の検知範囲内に居ない場合、この医療・看護従事者が携行している携帯情報端末４の端末無線通信部４４は、受信感度が最も高い廊下灯２の廊下灯無線通信部２６との間でのみ無線通信が可能となる。
【００７１】
このような無線通信が行われている廊下灯２の廊下灯ＣＰＵ２３は、自廊下灯が有する廊下灯ＩＤ「２０１」及び無線通信の対象である携帯情報端末４が有する端末ＩＤ「ＨＰ０１」を付加した位置情報信号（以下、第２の位置情報信号という）を生成する。この第２の位置情報信号は、廊下灯ＣＰＵ２３から制御機側廊下灯Ｉ／Ｆ２５、廊下灯ラインＬ2、制御機９の廊下灯側制御機Ｉ／Ｆ９２を経由して制御機ＣＰＵ９１に伝送される。
【００７２】
制御機９の制御機ＣＰＵ９１は、受信した第２の位置情報信号に付加されている廊下灯ＩＤ「２０１」及び端末ＩＤ「ＨＰ０１」のうち、端末ＩＤ「ＨＰ００１」に割当てられて制御機記憶部９０に医療・看護従事者情報テーブル（図３（Ｂ））として記憶されている、氏名データ「山田花子」及び医療・看護従事者識別ＩＤ「ＮＳ０１」に検知装置ＩＤを関連付け、当該信号の受信日時とともに管理することにより、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、廊下灯ＩＤ「２０１」を有する廊下灯２の設置場所、すなわち、２０１号室の出入り口近傍に居ること又は２０１号室内に入室したことを示す動線履歴（以下、第２の動線履歴という）を、例えば、フロア病床レイアウトに対応させて作成することができる。なお、制御機ＣＰＵ９１で生成された第２の動線履歴は、前述の第１の動線履歴と同様、サーバ８に記憶させることもできる。
【００７３】
なお、前述の医療・看護従事者によれば、自らが携行している携帯情報端末４の端末操作部４２を用いて、その氏名データが「鈴木太郎」、その被看護人識別ＩＤが「０００１」であって、子機ＩＤ「１」に割当てられた病床の被看護人に対する看護処置情報（以下、第１の看護処置情報という）、ここでは、「検温結果：体温３６．５℃、痛み止めの点滴投与：１５０ｍｌ」を入力することができる。この入力操作を検出した端末ＣＰＵ４３は、前述の第１の位置情報信号又は第２の位置情報信号を生成するにあたり、生成した当該信号に第１の看護処置情報を付加し、制御機９の制御機ＣＰＵ９１に送出する。
【００７４】
ここで、制御機９の制御機ＣＰＵ９１は、前述のような第１の看護処置情報が付加された第１の位置情報信号を受信すると、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、検知装置ＩＤ「Ｄ０１」を有する位置検知装置５の設置場所である２０１号室の周囲近傍である廊下先等に居ることを示す動線履歴（第１の動線履歴）を、フロア病床レイアウトに対応させて作成することができるばかりでなく、その氏名データが「鈴木太郎」、その被看護人識別ＩＤが「０００１」であって、子機ＩＤ「１」に割当てられた病床の被看護人に対する第１の看護処置情報を、被看護人にかかるリスト又はフロア病床レイアウトに対応させて作成し、制御機記憶部９０又はサーバ８に記憶させることができる。
【００７５】
一方、制御機９の制御機ＣＰＵ９１は、前述のような第１の看護処置情報が付加された第２の位置情報信号を受信すると、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、廊下灯ＩＤ「２０１」を有する廊下灯２の設置場所、すなわち、２０１号室の出入り口近傍に居ることを示す動線履歴（第２の動線履歴）を、フロア病床レイアウトに対応させて作成することができるばかりでなく、その氏名データが「鈴木太郎」、その被看護人識別ＩＤが「０００１」であって、子機ＩＤ「１」に割当てられた病床の被看護人に対する第１の看護処置情報を、被看護人にかかるリスト又はフロア病床レイアウトに対応させて作成し、制御機記憶部９０又はサーバ８に記憶させることができる。
【００７６】
次に、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、２０１号室の出入り口近傍から移動して２０２号室の出入り口近傍に辿り着くと、例えば、Ｗｉ−Ｆｉ（登録商標）の通信プロトコルを用いて無線通信を行うことが可能な通信機器として、例えば、２０２号室の周囲近傍の廊下先や天井等に設置された、第１の検知範囲を有する図２（Ｄ）に示す位置検知装置５の検知装置無線通信部５２、及び２０２号室の出入り口に設置された、第２の検知範囲を有する図２（Ａ）に示す廊下灯２の廊下灯無線通信部２６のうち、その検知範囲の相違や前述の送信出力及び受信感度の相違に伴い、受信感度が最も高い当該無線通信部との間で無線通信を行うことができる。
【００７７】
具体的には前述と同様、端末無線通信部４４を有する携帯情報端末４と検知装置無線通信部５２を有する位置検知装置５においては、互いの通信機器が例えば、２〜３ｍのような距離となったときに無線通信が行われる。一方、端末無線通信部４４を有する携帯情報端末４と廊下灯無線通信部２６を有する廊下灯２においては、互いの通信機器が例えば、１５ｃｍのような近接した距離となったときに無線通信が行われる。
【００７８】
ここで、前述の医療・看護従事者が、位置検知装置５の検知装置無線通信部５２が有する当該廊下灯の設置場所から例えば、半径３ｍ以上の第１の検知範囲内に居る一方、２０１号室の出入り口に設置された廊下灯２の廊下灯無線通信部２６が有する例えば、当該廊下灯の設置場所から３０ｃｍ以下の第２の検知範囲内に居ない場合、この医療・看護従事者が携行している携帯情報端末４の端末無線通信部４４は、位置検知装置５の検知装置無線通信部５２との間でのみ無線通信が可能となる。
【００７９】
このような無線通信が行われている携帯情報端末４の端末ＣＰＵ４３は、受信感度が最も高い当該無線通信部を有する機器が変更されたことを検出し、自端末が有する端末ＩＤ「ＨＰ０１」を付加した変更通知信号（以下、第１の変更通知信号という）を生成する。この第１の変更通知信号は、端末ＣＰＵ４３から端末無線通信部４４、位置検知装置５の検知装置無線通信部５２を経由して検知装置ＣＰＵ５０に伝送される。
【００８０】
また、位置検知装置５の検知装置ＣＰＵ５０は、受信した第１の変更通知信号とともに、自検知装置が有する検知装置ＩＤ「Ｄ０２」及び無線通信の対象である携帯情報端末４が有する端末ＩＤ「ＨＰ０１」を付加した位置情報信号（以下、第３の位置情報信号という）を生成する。この第３の位置情報信号は、検知装置ＣＰＵ５０から検知装置Ｉ／Ｆ５１、検知装置ラインＬ4、制御機９の検知装置側制御機Ｉ／Ｆ９４を経由して制御機ＣＰＵ９１に伝送される。
【００８１】
制御機９の制御機ＣＰＵ９１は、受信した第３の位置情報信号に付加されている廊下灯ＩＤ「２０２」及び端末ＩＤ「ＨＰ０１」のうち、端末ＩＤ「ＨＰ０１」に割当てられて制御機記憶部９０に医療・看護従事者情報テーブル（図３（Ｂ））として記憶されている、氏名データ「山田花子」及び看護従事者識別ＩＤ「ＮＳ０１」に、同様に付加されている第１の変更通知信号の変更先機器を示す検知装置ＩＤ「Ｄ０２」を関連付け、当該信号の受信日時とともに時系列で管理することにより、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、検知装置ＩＤ「Ｄ０２」を有する位置検知装置５の設置場所である、２０２号室の周囲近傍の廊下先等に居ることを示す動線履歴（以下、第３の動線履歴という）を、例えば、フロア病床レイアウトに対応させて作成することができる。なお、制御機ＣＰＵ９１で生成された第３の動線履歴は、前述の第１、第２の動線履歴と同様、制御機記憶部９０又はサーバ８に記憶させることもできる。
【００８２】
一方、前述の医療・看護従事者が、２０２号室の出入り口に設置された廊下灯２の廊下灯無線通信部２６が有する例えば、当該廊下灯の設置場所から半径３０ｃｍ以下の第２の検知範囲内に居る一方、図２（Ｄ）に示す位置検知装置５の検知装置無線通信部５２が有する例えば、２０２号室の周囲近傍の廊下先や天井等で当該検知装置の設置場所から半径３ｍ以上の第１の検知範囲内に居ない場合、この医療・看護従事者が携行している携帯情報端末４の端末無線通信部４４は、受信感度が最も高い廊下灯２の廊下灯無線通信部２６との間でのみ無線通信が可能となる。具体的には、前述と同様、互いの機器が例えば、１５ｃｍのような近接した距離となったときに無線通信が行われる。
【００８３】
このような無線通信が行われている携帯情報端末４の端末ＣＰＵ４３は、受信感度が最も高い当該無線通信部を有する機器が変更されたことを検出し、自端末が有する端末ＩＤ「ＨＰ０１」を付加した変更通知信号（以下、第２の変更通知信号という）を生成する。この第２の変更通知信号は、端末ＣＰＵ４３から端末無線通信部４４、廊下灯２の廊下灯無線通信部２６を経由して廊下灯ＣＰＵ２３に伝送される。
【００８４】
また、廊下灯２の廊下灯ＣＰＵ２３は、受信した第２の変更通知信号とともに自廊下灯が有する廊下灯ＩＤ「２０２」及び無線通信の対象である携帯情報端末４が有する端末ＩＤ「ＨＰ０１」を付加した位置情報信号（以下、第４の位置情報信号という）を生成する。この第４の位置情報信号は、廊下灯ＣＰＵ２３から制御機側廊下灯Ｉ／Ｆ２５、廊下灯ラインＬ2、制御機９の廊下灯側制御機Ｉ／Ｆ９２を経由して制御機ＣＰＵ９１に伝送される。
【００８５】
制御機９の制御機ＣＰＵ９１は、受信した第４の位置情報信号に付加されている廊下灯ＩＤ「２０２」及び端末ＩＤ「ＨＰ０１」のうち、端末ＩＤ「ＨＰ０１」に割当てられて制御機記憶部９０に医療・看護従事者情報テーブル（図３（Ｂ））として記憶されている、氏名データ「山田花子」及び看護従事者識別ＩＤ「ＮＳ０１」に、同様に付加されている第２の変更通知信号として変更先機器を示す廊下灯ＩＤ「２０２」を関連付け、当該信号の受信日時とともに時系列で管理することにより、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、廊下灯ＩＤ「２０２」を有する廊下灯２の設置場所である、２０２号室の出入り口近傍に居ること又は２０２号室内に入室したことを示す動線履歴（以下、第４の動線履歴という）を、例えば、フロア病床レイアウトに対応させて作成することができる。なお、制御機ＣＰＵ９１で生成された第４の動線履歴は、前述の第１乃至第３の動線履歴と同様、制御機記憶部９０又はサーバ８に記憶させることもできる。
【００８６】
なお、前述の医療・看護従事者によれば、自らが携行している携帯情報端末４の端末操作部４２を用いて、その氏名データが「岡本大介」、その被看護人識別ＩＤが「０００３」であって、子機ＩＤ「１」に割当てられた病床の被看護人に対する看護処置情報（以下、第２の看護処置情報という）、ここでは、「検温結果：体温３７．５℃、血圧測定結果：１３０／８５ｍｍＨｇ」を入力することができる。この入力操作を検出した端末ＣＰＵ４３は、前述の第３の位置情報信号又は第４の位置情報信号を生成するにあたり、生成した当該信号に第２の看護処置情報を付加し、制御機９の制御機ＣＰＵ９１に送出することができる。
【００８７】
ここで、制御機９の制御機ＣＰＵ９１は、前述のような第２の看護処置情報が付加された第３の位置情報信号を受信すると、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、検知装置ＩＤ「Ｄ０２」を有する位置検知装置５の設置場所である２０２号室の周囲近傍である廊下先等に居ることを示す動線履歴（第３の動線履歴）を、フロア病床レイアウトに対応させて作成することができるばかりでなく、その氏名データが「岡本大介」、その被看護人識別ＩＤが「０００３」であって、子機ＩＤ「１」に割当てられた病床の被看護人に対する第２の看護処置情報を、被看護人にかかるリスト又はフロア病床レイアウトに対応させて作成し、制御機記憶部９０又はサーバ８に記憶させることができる。
【００８８】
一方、制御機９の制御機ＣＰＵ９１は、前述のような第２の看護処置情報が付加された第２の位置情報信号を受信すると、その氏名データが「山田花子」、その医療・看護従事者識別ＩＤが「ＮＳ０１」であって、端末ＩＤが「ＨＰ０１」に割当てられた携帯情報端末４を携行している医療・看護従事者が、廊下灯ＩＤ「２０２」を有する廊下灯２の設置場所、すなわち、２０２号室の出入り口近傍に居ることを示す動線履歴（第４の動線履歴）を、フロア病床レイアウトに対応させて作成することができるばかりでなく、その氏名データが「岡本大介」、その被看護人識別ＩＤが「０００３」であって、子機ＩＤ「１」に割当てられた病床の被看護人に対する第２の看護処置情報を、被看護人にかかるリスト又はフロア病床レイアウトに対応させて作成し、制御機記憶部９０又はサーバ８に記憶させることができる。
【００８９】
また、前述のように時系列で制御機９の制御機記憶部９０又はサーバ８に記憶される、医療・看護従事者の動線履歴（第１乃至第４の動線履歴）や被看護人への看護処置情報（第１、第２の看護処置情報）は、例えば、制御機ＣＰＵ９１又はサーバ８で計時される所定のタイミングや、スタッフステーション内に在室中の医療・看護従事者によるナースコール親機３の親機操作部３２を用いた所定の操作等がトリガとなって制御機記憶部９１又はサーバ８から読出される。このような制御によって、ナースコール親機３の親機表示部３０には、図４の画面構成図に示すようなフロア病床レイアウトを用いて、その氏名データが「山田花子」、その医療・看護従事者識別ＩＤが「ＮＳ０１」であって、端末ＩＤが「ＨＰ０１」に割当てられた携帯情報端末４を携行している医療・看護従事者の動線履歴を時系列で表示することができるばかりでなく、この医療・看護従事者による被看護人への看護処置情報を、図５（Ａ）、（Ｂ）の画面構成図に示すようなリスト又はフロア病床レイアウトを用いて表示することができ、この表示は、親機操作部３２の切替操作を検出した親機ＣＰＵ３３の制御により任意に画面切替えが可能である。
【００９０】
なお、図４に示されるフロア病床レイアウトによれば、時系列による動線履歴を別画面で遷移させるのみならず、同一画面上で例えば、ポインタとその動線を用いて表示させることもできる。
【００９１】
なお、前述の説明によれば、制御機９の制御機記憶部９０又はサーバ８に記憶される、医療・看護従事者の動線履歴（第１乃至第４の動線履歴）や被看護人への看護処置情報（第１、第２の看護処置情報）を、ナースコール親機３の親機表示部３０を用いて表示させたが、この表示態様に限定されるものではない。例えば、サーバ８に表示部（モニタ）が備えられている場合には、この表示部（モニタ）を用いてリスト表示又はフロア病床レイアウト表示を行うことができる。
【００９２】
前述までの説明から明らかように、本発明の実施例によれば、施設内を移動中の医療・看護従事者により携行される携帯情報端末４の無線通信機能として、検知範囲は異なるものの同一のプロトコルを有する位置検知装置５及び廊下灯２の無線通信機能を適用させ、この携帯情報端末４との間で通信が行われている位置検知装置５又は廊下灯２が有するＩＤをもとに医療・看護従事者の位置を検知し、動線履歴として管理することができるばかりでなく、被看護人への看護処置情報も併せて管理することができる。
【００９３】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００９４】
具体的に本発明の実施例においては、廊下灯２、携帯情報端末４及び位置検知装置５がそれぞれ有する通信機能として、同一の通信プロトコルとして例えば、Ｗｉ−Ｆｉ（登録商標）を用いた無線通信機能を適用したが、この通信機能に限定されるものではない。例えば、無線通信部（廊下灯無線通信部、端末無線通信部及び検知装置無線通信部）２６、４４、５２に代えて、指向性が高い超音波で通信を行うことが可能な超音波通信部を備えることもでき、このような超音波通信を適用するにあたっては、無線通信と比較して位置検知の精度が高められる。なお、廊下灯２に超音波通信部を備えるにあたっては、この廊下灯２の通話機能である、廊下灯通話部２１の廊下灯マイク２１ａ及び廊下灯スピーカ２１ｂが用いられる。また、携帯情報端末４に超音波通信部を備えるにあたっては、この端末４の通話機能である、端末通話部４１の端末マイク４１ａ及び端末スピーカ４１ｂが用いられる。
【００９５】
また、本発明の実施例においては、携帯情報端末４を用いて呼出し及び通話を成立させるにあたって、その制御機能を制御機６に備えたが、この態様に限定されるものではない。例えば、携帯情報端末４にＩＰ電話機能を備えることにより、廊下灯２の廊下灯無線通信部２６又は位置検知装置５の検知装置無線通信部５２を用いて、前述の呼出し及び通話を成立させることもできる。
【００９６】
また、本発明の実施例においては、廊下灯２の構成態様として廊下灯表示部２０や廊下灯通話部２１が備えられるように、例えば、呼出報知（呼出表示、呼出発報）機能及び通話機能を有していたが、この構成態様に限定されるものではない。例えば、無線通信機能としての廊下灯無線通信部２６が備えられている限り、廊下灯表示部２０や廊下灯通話部２１が不備とされる例えば、アダプタ型の廊下灯２を適用することもできる。
【００９７】
さらに、本発明の実施例においては、廊下灯２、ナースコール親機３、位置検知装置５、交換機７及びサーバ８を、個別のライン（廊下灯ライン、親機ライン、検知装置ライン、交換機ライン及びサーバライン）Ｌ2、Ｌ3、Ｌ4、Ｌ6、Ｌ7をそれぞれ経由して制御機９に接続させた構成を適用したが、この構成態様に限定されるものではない。例えば、廊下灯２、ナースコール親機３、位置検知装置５、交換機７及びサーバ８をそれぞれ、共通バスであるＬＡＮ配線に所定の信号分岐機能、例えば、ハブを経由して接続させた構成を適用することもできる。
【符号の説明】
【００９８】
１……ナースコール子機
２……廊下灯
２３……廊下灯ＣＰＵ
２６……廊下灯無線通信部（超音波通信部）
３……ナースコール親機
４……携帯情報端末
４１ａ……端末マイク（マイク、超音波通信部）
４１ｂ……端末スピーカ（スピーカ、超音波通信部）
４２……端末操作部
４３……端末ＣＰＵ
４４……端末無線通信部（超音波通信部）
５……位置検知装置
５０……検知装置ＣＰＵ
５２……検知装置無線通信部（超音波通信部）
９……制御機
９１……制御機ＣＰＵ（制御部）
【図１】
2014161346.tif 000003
【図２】
2014161346.tif 000004
【図３】
2014161346.tif 000005
【図４】
2014161346.tif 000006
【図５】
2014161346.tif 000007